(57)【要約】【課題】目的となる情報を指定することで、個人の興味が反映されたスケジュールプランを生成する。【解決手段】端末３１は、ウェブサーバ２が提供する複数のウェブサービスの利用時の使用した興味オントロジのクラスやインスタンスのデータをスケジュールプラン作成エンジン４１に転送し、端末３１がスケジュール構築画面上で基本要求プランを選択または記入し、スケジュールプラン作成エンジン４１は興味オントロジデータベース４２を検索し、興味オントロジ間の近似度に基づいて興味オントロジ間のマッピングを行うことにより、端末３１に近似度の高い興味オントロジを保有する他の端末３２を選択し、スケジュールプランに使用する店名や商品名を興味オントロジのマッピングデータから取り込み、その店名や商品名が組み込まれたスケジュールプランをユーザ３１ａに提案する。【選択図】      図１
2007164579.tif 000002
【特許請求の範囲】
【請求項１】
個人のスケジュール上での基本要求プランを取得する基本要求プラン取得手段と、
前記基本要求プランに基づいて個人の興味が反映されたスケジュールプランを生成するスケジュールプラン生成手段とを備えることを特徴とするスケジュールプラン生成装置。
【請求項２】
個人のスケジュール上での複数の基本要求プランを取得する基本要求プラン取得手段と、
前記複数の基本要求プランに基づいてウェブサービスを時系列的に組み合わせながら個人の興味が反映されたスケジュールプランを生成するスケジュールプラン生成手段とを備えることを特徴とするスケジュールプラン生成装置。
【請求項３】
前記ウェブサービスはＳＮＳまたはブログを含むことを特徴とする請求項２記載のスケジュールプラン生成装置。
【請求項４】
前記基本要求プラン取得手段およびスケジュールプラン生成手段は、ウェブサーバまたはポータルサイト上に搭載されていることを特徴とする請求項１から３のいずれか１項記載のスケジュールプラン生成装置。
【請求項５】
前記ウェブサーバまたはポータルサイトは、各ユーザの興味オントロジのクラスまたはインスタンスをユーザ端末から取得することを特徴とする請求項４記載のスケジュールプラン生成装置。
【請求項６】
前記スケジュールプラン生成手段は、オントロジマッピングを適用することにより前記基本要求プランの内容の興味が近い他のユーザの興味オントロジを抽出し、前記興味オントロジから抽出された情報を前記スケジュールプランに組み込むことを特徴とする請求項１から５のいずれか１項記載のスケジュールプラン生成装置。
【請求項７】
前記スケジュールプラン生成手段は、ユーザからのスケジュールの変更要求に対応して前記スケジュールプランを変更することを特徴とする請求項１から６のいずれか１項記載のスケジュールプラン生成装置。
【請求項８】
個人のスケジュール上での基本要求プランを取得するステップと、
オントロジマッピングを適用することにより前記基本要求プランの内容の興味が近い他のユーザの興味オントロジを抽出するステップと、
前記興味オントロジから抽出された情報を前記スケジュールプランに組み込みながら、個人の興味が反映されたスケジュールプランを生成するステップとを備えることを特徴とするスケジュールプラン生成方法。
【請求項９】
個人のスケジュール上での複数の基本要求プランを取得するステップと、
前記複数の基本要求プランに基づいてウェブサービスを検索するステップと、
オントロジマッピングを適用することにより前記基本要求プランの内容の興味が近い他のユーザの興味オントロジを抽出するステップと、
前記ウェブサービスから得られた情報を時系列的に組み合わせながら前記興味オントロジから抽出された情報を前記スケジュールプランに組み込むことにより、個人の興味が反映されたスケジュールプランを生成するステップとを備えることを特徴とするスケジュールプラン生成方法。
【請求項１０】
個人のスケジュール上での基本要求プランを取得するステップと、
オントロジマッピングを適用することにより前記基本要求プランの内容の興味が近い他のユーザの興味オントロジを抽出するステップと、
前記興味オントロジから抽出された情報を前記スケジュールプランに組み込みながら、個人の興味が反映されたスケジュールプランを生成するステップするステップとをコンピュータに実行させることを特徴とするスケジュールプラン生成プログラム。
【請求項１１】
個人のスケジュール上での複数の基本要求プランを取得するステップと、
前記複数の基本要求プランに基づいてウェブサービスを検索するステップと、
オントロジマッピングを適用することにより前記基本要求プランの内容の興味が近い他のユーザの興味オントロジを抽出するステップと、
前記ウェブサービスから得られた情報を時系列的に組み合わせながら前記興味オントロジから抽出された情報を前記スケジュールプランに組み込むことにより、個人の興味が反映されたスケジュールプランを生成するステップとをコンピュータに実行させることを特徴とするスケジュールプラン生成プログラム。
【発明の詳細な説明】
【技術分野】
【０００１】
本発明はスケジュールプラン生成装置、スケジュールプラン生成方法およびスケジュールプラン生成プログラムに関し、特に、ユーザの興味が概念階層化された興味オントロジを参照しつつ、個人の興味に即したスケジュールやプランを半自動的に生成する方法に適用して好適なものである。
【背景技術】
【０００２】
近年の携帯情報端末の高機能化および高性能化の進展によりユビキタスコンピューティング環境が整備されつつあり、非特許文献１には、状況に応じたサービスを提供できるようにするために、サービスのメタ設計図を発見／選択し、それに適するサービス部品を発見／選択し、サービス部品のインターフェースを解決してのサービス部品の呼び出しによるサービス提供を行う方法が開示されている。
また、非特許文献２には、オントロジ言語ＯＷＬを用い、メッセージフォーマットとフォーマットの持つ意味情報の関係を知識ベースとしてモデル化するＩＦモデリング手法および様々なシステムの意味情報を半自動でマッピングすることで、メッセージの差異を吸収するメッセージマッピング手法が開示されている。
【０００３】
【非特許文献１】武本充冶，大石哲也，岩田哲弥，山登庸次，田中洋平，徳本誠一，島本憲夫，黒川章，須永宏，小柳恵一：ユビキタスコンピューティング環境に適したサービス提供アーキテクチャにおけるサービス合成方法とその実装，情報処理学会論文誌，Ｖｏｌ．４６，Ｎｏ．２，ｐｐ４１８−４３３（２００５．２）
【非特許文献２】中辻真，三好優，木村辰幸：意味情報に基づくインターフェースマッチングによるシステム連携手法の提案と評価、電子情報通信学会第１６回データ工学ワークショップ論文集（２００５）
【発明の開示】
【発明が解決しようとする課題】
【０００４】
しかしながら、非特許文献１に開示された方法では、複数のウェブサービスを合成してユーザに半自動的にスケジュールプランを提供することはできるが、すべての目的や場所を具体的に指定しなければならず、ユーザが自分のスケジュールを指定するだけでユーザの好みに即した店や商品などの情報を提供することができないという問題があった。
また、非特許文献２に開示された方法では、ネットワーク管理システムを連携させるためにシステムの持つメッセージをマッピングすることはできるが、ユーザ同士の興味オントロジをマッピングすることで、あるユーザの興味に近い他のユーザの興味情報を抽出し、あるユーザに提供することができないという問題があった。
そこで、本発明の目的は、基本要求プランを指定することで、個人の興味が反映されたスケジュールプランを生成することが可能なスケジュールプラン生成装置、スケジュールプラン生成方法およびスケジュールプラン生成プログラムを提供することである。
【課題を解決するための手段】
【０００５】
上述した課題を解決するために、請求項１記載のスケジュールプラン生成装置によれば、個人のスケジュール上での基本要求プランを取得する基本要求プラン取得手段と、前記基本要求プランに基づいて個人の興味が反映されたスケジュールプランを生成するスケジュールプラン生成手段とを備えることを特徴とする。
また、請求項２記載のスケジュールプラン生成装置によれば、個人のスケジュール上での複数の基本要求プランを取得する基本要求プラン取得手段と、前記複数の基本要求プランに基づいてウェブサービスを時系列的に組み合わせながら個人の興味が反映されたスケジュールプランを生成するスケジュールプラン生成手段とを備えることを特徴とする。
【０００６】
また、請求項３記載のスケジュールプラン生成装置によれば、前記ウェブサービスはＳＮＳまたはブログを含むことを特徴とする。
また、請求項４記載のスケジュールプラン生成装置によれば、前記基本要求プラン取得手段およびスケジュールプラン生成手段は、ウェブサーバまたはポータルサイト上に搭載されていることを特徴とする。
また、請求項５記載のスケジュールプラン生成装置によれば、前記ウェブサーバまたはポータルサイトは、各ユーザの興味オントロジのクラスまたはインスタンスをユーザ端末から取得することを特徴とする。
【０００７】
また、請求項６記載のスケジュールプラン生成装置によれば、前記スケジュールプラン生成手段は、オントロジマッピングを適用することにより前記基本要求プランの内容の興味が近い他のユーザの興味オントロジを抽出し、前記興味オントロジから抽出された情報を前記スケジュールプランに組み込むことを特徴とする。
また、請求項７記載のスケジュールプラン生成装置によれば、前記スケジュールプラン生成手段は、ユーザからのスケジュールの変更要求に対応して前記スケジュールプランを変更することを特徴とする。
【０００８】
また、請求項８記載のスケジュールプラン生成方法によれば、個人のスケジュール上での基本要求プランを取得するステップと、オントロジマッピングを適用することにより前記基本要求プランの内容の興味が近い他のユーザの興味オントロジを抽出するステップと、前記興味オントロジから抽出された情報を前記スケジュールプランに組み込みながら、個人の興味が反映されたスケジュールプランを生成するステップとを備えることを特徴とする。
【０００９】
また、請求項９記載のスケジュールプラン生成方法によれば、個人のスケジュール上での複数の基本要求プランを取得するステップと、前記複数の基本要求プランに基づいてウェブサービスを検索するステップと、オントロジマッピングを適用することにより前記基本要求プランの内容の興味が近い他のユーザの興味オントロジを抽出するステップと、前記ウェブサービスから得られた情報を時系列的に組み合わせながら前記興味オントロジから抽出された情報を前記スケジュールプランに組み込むことにより、個人の興味が反映されたスケジュールプランを生成するステップとを備えることを特徴とする。
【００１０】
また、請求項１０記載のスケジュールプラン生成プログラムによれば、個人のスケジュール上での基本要求プランを取得するステップと、オントロジマッピングを適用することにより前記基本要求プランの内容の興味が近い他のユーザの興味オントロジを抽出するステップと、前記興味オントロジから抽出された情報を前記スケジュールプランに組み込みながら、個人の興味が反映されたスケジュールプランを生成するステップするステップとをコンピュータに実行させることを特徴とする。
【００１１】
また、請求項１１記載のスケジュールプラン生成プログラムによれば、個人のスケジュール上での複数の基本要求プランを取得するステップと、前記複数の基本要求プランに基づいてウェブサービスを検索するステップと、オントロジマッピングを適用することにより前記基本要求プランの内容の興味が近い他のユーザの興味オントロジを抽出するステップと、前記ウェブサービスから得られた情報を時系列的に組み合わせながら前記興味オントロジから抽出された情報を前記スケジュールプランに組み込むことにより、個人の興味が反映されたスケジュールプランを生成するステップとをコンピュータに実行させることを特徴とする。
【発明の効果】
【００１２】
以上説明したように、本発明によれば、ユーザが基本要求プランを端末上で入力することで、ユーザの興味に即した外出先のサービス店や店舗が供給する商品やサービスを自動的に自分のスケジュールに組み込むことができる。また、ユーザは分散されたサービスを個別に利用するだけでなく、それらのサービスを連携させて生成された単一のスケジュールサービスを操作するだけで、スケジュールを構成するために必要な情報を複数のウェブサービスから収集し、半自動的に複数の目的を達成可能なスケジュールプランを入手することができる。さらに、ユーザは、スケジュールに変更が生じた場合においても、変更に対応したスケジュールプランを少ない操作で半自動的に構築することができる。
【発明を実施するための最良の形態】
【００１３】
以下、本発明の実施形態に係るスケジュールプラン生成装置およびその方法について図面を参照しながら説明する。
図１は、本発明の第１実施形態に係るスケジュールプラン生成装置が適用されるシステムの概略構成を示すブロック図である。
図１において、ウェブサービスを提供するウェブサーバ２、基本要求プランに基づいて個人の興味が反映されたスケジュールプランを生成するスケジュールプラン作成エンジン４１および端末３１、３２が通信網１を介して接続されている。また、スケジュールプラン作成エンジン４１には、個人の興味情報が概念階層化された興味オントロジが格納された興味オントロジデータベース４２が接続されている。ここで、端末３１、３２は、自端末３１、３２にそれぞれ対応して設けられたブログやＳＮＳ（Ｓｏｃｉａｌ  Ｎｅｔｗｏｒｋｉｎｇ  Ｓｉｔｅ）などに基づいて、各ユーザ３１ａ、３２ａの興味情報が概念階層化された興味オントロジをそれぞれ構築することができる。また、スケジュールプラン作成エンジン４１は、オントロジマッピングを適用することにより基本要求プランの内容の興味が近い他のユーザの興味オントロジを抽出し、興味オントロジから抽出された情報をスケジュールプランに組み込むことができる。
【００１４】
なお、基本要求プランとは、個人のスケジュール上での基本となるプランであって、スケジュール上での要求または目的となる情報を含むことができる。また、興味オントロジとは、個人の興味情報が概念階層化された情報源を言う。また、オントロジとは、「対象としている概念の形式的な理論体系」である。すなわち、問題領域で実際に扱うもの（オブジェクト）の記述様式、語彙、関係などを一階述語論理などの形式化された記法で表現したものである。オントロジを定義することにより、問題領域に関する推論をコンピュータ上で行うことが可能となる。また、通信網１としては、例えば、ＩＰ通信を行う公衆通信網を用いることができ、インターネットであってもよい。また、企業間の専用通信網であっても、公衆通信網であってもよいが、高信頼性とセキュリティとを備えた専用通信を提供できるＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）のような網であってもよい。また、端末３１、３２としては、ノート型パーソナルコンピュータあるいはデスクトップ型パーソナルコンピュータでもよく、携帯電話端末やＰＤＡ（Ｐｅｒｓｏｎａｌ  Ｄａｔａ  Ａｓｓｉｓｔａｎｔ）などでもよい。
【００１５】
そして、端末３１は、ウェブサーバ２が提供する複数のウェブサービスの利用時の使用した興味オントロジのクラスやインスタンスのデータをスケジュールプラン作成エンジン４１に転送し、興味オントロジデータベース４２に格納させることができる。そして、端末３１がスケジュール構築画面上で基本要求プランを選択または記入し、スケジュールプラン作成エンジン４１に転送すると、スケジュールプラン作成エンジン４１は興味オントロジデータベース４２を検索し、興味オントロジ間の近似度に基づいて興味オントロジ間のマッピングを行うことができる。そして、スケジュールプラン作成エンジン４１は、近似度の高い興味オントロジを保有する他の端末３２を選択し、スケジュールプランに使用する店名や商品名を興味オントロジのマッピングデータから取り込み、その店名や商品名が組み込まれたスケジュールプランをユーザ３１ａに提案することができる。
【００１６】
これにより、ユーザ３１ａが基本要求プランを端末３１上で入力することで、ユーザ３１ａの興味に即した外出先のサービス店や店舗が供給する商品やサービスを自動的にユーザ３１ａのスケジュールに組み込むことができ、ユーザ３１ａがすべての目的や場所をスケジュール上で具体的に指定することなく、自分の好みに即した店や商品などの情報の提供を受けることができる。
【００１７】
なお、興味オントロジ間の近似度を計測する方法としては、クラスの持つクラス名やインスタンスなどのクラス属性間の近似度またはクラス間の接続形態であるトポロジの近似度に基づいて推論学習照合し、オントロジの持つクラス間の意味的な近似度を計測することができる。あるいは、クラス属性間の近似度およびトポロジの近似度の両方に基づいて推論学習照合し、オントロジの持つクラス間の意味的な近似度を計測するようにしてもよい。
【００１８】
図２は、図１のスケジュールプラン作成エンジン４１の概略構成を示すブロック図である。
図２において、スケジュールプラン作成エンジン４１には、基本要求プランを取得したり、興味オントロジやウェブサービスを検索したりする情報取得機能４１１、基本要求プランに基づいて個人の興味が反映されたスケジュールプランを合成する情報最適合成機能４１２、ユーザ３１ａ、３２ａの認証を行う認証機能４１３、サービスの提供に対してユーザ３１ａ、３２ａに課金を行う課金機能４１４、ユーザ３１ａ、３２ａの課金や認証などに必要なユーザ情報の更新／保持／管理を行うユーザ管理機能４１５、ユーザ３１ａ、３２ａの利用履歴の更新／保持／管理を行う利用履歴機能４１８、通信網１との間での通信処理を行う通信サーバ機能４１０およびこれらの一連のシーケンス制御を行うセッション制御機能４１６が設けられている。
【００１９】
そして、端末３１が通信網１を介してスケジュールプラン作成エンジン４１にアクセスすると、認証機能４１３にて個人認証されるとともに、課金機能４１４がアクティブになる。そして、スケジュールプラン作成エンジン４１は、基本要求プランを端末３１から受け取ると、情報取得機能４１１は興味オントロジデータベース４２を検索し、興味オントロジ間の近似度に基づいて興味オントロジ間のマッピングを行うことにより、興味オントロジのマッピングデータが近似する他の端末３１を選択し、スケジュールプランに使用する店名や商品名を興味オントロジのマッピングデータから取り込む。そして、情報最適合成機能４１２は、興味オントロジのマッピングデータから取り込んだ店名や商品名が組み込まれたスケジュールプランを合成し、ユーザ３１ａに提案することができる。
【００２０】
なお、情報取得機能４１１、情報最適合成機能４１２、認証機能４１３、課金機能４１４、ユーザ管理機能４１５、利用履歴機能４１８、通信サーバ機能４１０およびセッション制御機能４１６は、これらの機能で行われる処理を遂行させる命令が記述されたプログラムをコンピュータに実行させることにより実現することができる。
そして、このプログラムをＣＤ−ＲＯＭなどの記憶媒体に記憶しておけば、スケジュールプラン作成エンジン４１のコンピュータに記憶媒体を装着し、そのプログラムをコンピュータにインストールすることにより、情報取得機能４１１、情報最適合成機能４１２、認証機能４１３、課金機能４１４、ユーザ管理機能４１５、利用履歴機能４１８、通信サーバ機能４１０およびセッション制御機能４１６で行われる処理を実現することができる。また、このプログラムを通信網１を介してダウンロードすることにより、このプログラムを容易に普及させることができる。
【００２１】
また、情報取得機能４１１、情報最適合成機能４１２、認証機能４１３、課金機能４１４、ユーザ管理機能４１５、利用履歴機能４１８、通信サーバ機能４１０およびセッション制御機能４１６で行われる処理を遂行させる命令が記述されたプログラムをコンピュータに実行させる場合、スタンドアロン型コンピュータで実行させるようにしてもよく、ネットワークに接続された複数のコンピュータに分散処理させるようにしてもよい。
【００２２】
図３は、本発明の第１実施形態に係るスケジュールプランの作成方法を示すフローチャートである。
図３において、ウェブサーバ２は、通信販売、航空券やレストランなどの予約サービス、地図情報サービス、交通機関などの乗り換え案内サービスなどの各種サービスを通信網１を介して提供する（ステップＳ１）。また、端末３１は、ウェブサーバ２が提供するウェブサービスを利用する（ステップＳ２）。そして、端末３１は、ウェブサービスの利用時の使用した興味オントロジのクラスやインスタンスのデータをスケジュールプラン作成エンジン４１に転送する（ステップＳ３）。そして、スケジュールプラン作成エンジン４１は、興味オントロジのクラスやインスタンスのデータを端末３１から受け取ると、それらのデータを興味オントロジデータベース４２に格納する（ステップＳ４）。
【００２３】
一方、端末３２は、ウェブサーバ２が提供するウェブサービスを利用する（ステップＳ５）。そして、端末３２は、ウェブサービスの利用時の使用した興味オントロジのクラスやインスタンスのデータをスケジュールプラン作成エンジン４１に転送する（ステップＳ６）。そして、スケジュールプラン作成エンジン４１は、興味オントロジのクラスやインスタンスのデータを端末３２から受け取ると、それらのデータを興味オントロジデータベース４２に格納する（ステップＳ７）。
【００２４】
そして、端末３１がスケジュール構築画面上で基本要求プランを選択または記入し、スケジュールプラン作成エンジン４１に転送する（ステップＳ８）。そして、スケジュールプラン作成エンジン４１は、基本要求プランを端末３１から受け取ると、興味オントロジデータベース４２を検索し、興味オントロジ間の近似度に基づいて興味オントロジ間のマッピングを行うことにより、近似度の高い興味オントロジを保有する他の端末３２を選択する（ステップＳ９）。そして、スケジュールプラン作成エンジン４１は、選択された端末３２が保有する興味オントロジのマッピングデータから、スケジュールプランに使用する店名や商品名などの情報を取り込み（ステップＳ１０）、その店名や商品名が組み込まれたスケジュールプランを端末３１に転送する（ステップＳ１１）。そして、端末３１は、基本要求プランに沿って自分の好みが反映されたスケジュールプランをスケジュールプラン作成エンジン４１から受信する（ステップＳ１２）。
【００２５】
なお、スケジュールプラン作成エンジン４１は、スケジュール構築画面上で選択または記入された複数の基本要求プランを端末３１から取得し、これらの複数の基本要求プランに基づいてウェブサービスを検索するとともに、オントロジマッピングを適用することにより基本要求プランの内容の興味に近い他のユーザの興味オントロジを抽出し、ウェブサービスから得られた情報を時系列的に組み合わせながら興味オントロジから抽出された情報をスケジュールプランに組み込むことにより、ユーザ３１ａの興味が反映されたスケジュールプランを生成するようにしてもよい。また、スケジュールプラン作成エンジン４１は、ユーザ３１ａからのスケジュールの変更要求に対応してスケジュールプランを変更し、ユーザ３１ａに再提示するようにしてもよい。
【００２６】
図４は、本発明の第２実施形態に係るスケジュールプランの作成方法の具体例を示す流れ図である。
図４において、ユーザ３１ａは、「ＣＤ屋ＡでＣＤを買って、それから１９時に新宿駅で友達と待ち合わせをして、それからその辺の美味しい店で晩飯を食べたい。」と思っているとする。この場合、ユーザ３１ａは、端末３１上でスケジュール構築画面を表示させる。ここで、スケジュール構築画面には、（自分の位置−ＧＰＳまたは駅名指定）、（訪問する店−店名指定）、（待ち合わせ−時間と場所を指定）および（食事−時間と場所を指定）を入力するためのテンプレートＴ１が用意され、ユーザ３１ａは、このテンプレートＴ１に沿って複数の要求を入力することができる。例えば、ユーザ３１ａは、〔（三鷹駅）、（ＣＤ屋吉祥寺店Ａ）、（新宿駅１７：００）、（新宿駅周辺１７：０５）〕とスケジュール構築画面上で入力し（Ｋ１）、複数の基本要求プランとしてスケジュールプラン作成エンジン４１に送信する。
【００２７】
そして、スケジュールプラン作成エンジン４１は、基本要求プランを端末３１から受信すると、スケジュールプラン作成エンジン４１の情報取得機能４１１がウェブサーバ２にアクセスし、ＣＤ屋吉祥寺店Ａの営業時間を調査するとともに、三鷹駅と新宿駅の時刻表を調査する（Ｋ２）。さらに、スケジュールプラン作成エンジン４１の情報取得機能４１１は興味オントロジデータベース４２にアクセスし、端末３１に対応する興味オントロジから「新宿駅周辺の夕食の店として懐石料理屋Ｅ」を抽出し、さらに、「懐石料理屋Ｅ」をキーワードとしてウェブサーバ２にアクセスすることにより、（懐石料理屋Ｅの地図、電話番号、営業時間、メニューなど）の情報を取得する（Ｋ２）。そして、スケジュールプラン作成エンジン４１の情報最適合成機能４１２は、ウェブサービスから得られた情報（三鷹駅から新宿駅までの乗り換え時刻）を時系列的に組み合わせながら、興味オントロジに基づいて抽出された（懐石料理屋Ｅ）に関する情報（懐石料理屋Ｅの地図、電話番号、営業時間、メニューなど）が組み込まれたスケジュールプランＰ１を生成し、端末３１に送信する。
【００２８】
そして、スケジュールプランＰ１が端末３１に送信された後に、端末３１からＣＤ屋には６０分居たいという修正要求がスケジュールプラン作成エンジン４１に送られると（Ｋ２）、スケジュールプラン作成エンジン４１の情報最適合成機能４１２は、ユーザ３１ａの修正要求が反映されたスケジュールプランＰ２を再構築し（Ｋ４）、端末３１に送信する。
【００２９】
図５は、本発明の第２実施形態に係るスケジュールプランの作成方法を示すフローチャートである。
図５において、ウェブサーバ２は、店舗情報、交通機関などの乗り換え案内サービスなどの各種サービスを通信網１を介して提供する（ステップＳ２１）。また、端末３１は、ウェブサーバ２が提供するウェブサービスを利用する（ステップＳ２２）。そして、端末３１は、ウェブサービスの利用時の使用した興味オントロジのクラスやインスタンスのデータをスケジュールプラン作成エンジン４１に転送する（ステップＳ２３）。そして、スケジュールプラン作成エンジン４１は、興味オントロジのクラスやインスタンスのデータを端末３１から受け取ると、それらのデータを興味オントロジデータベース４２に格納する（ステップＳ２４）。
【００３０】
そして、端末３１がスケジュール構築画面上で複数の基本要求プランを選択または記入し、スケジュールプラン作成エンジン４１に転送する（ステップＳ２５）。そして、スケジュールプラン作成エンジン４１の情報取得機能４１１は、複数の基本要求プランを端末３１から受け取ると、興味オントロジデータベース４２を検索するとともに、ウェブサーバ２にアクセスし、基本要求プランに関連するサービスを調査することにより、スケジュールプランに使用する店名や商品名や乗り換え時刻などの情報を取り込む（ステップＳ２６）。そして、スケジュールプラン作成エンジン４１の情報最適合成機能４１２は、それらの店名や商品名や乗り換え時刻などの情報が組み込まれたスケジュールプランを合成し、端末３１に送信する（ステップＳ２７）。
【００３１】
また、ユーザ３１ａは、スケジュールプラン作成エンジン４１から提示されたケジュールプランに対して修正要求がある場合、その修正要求を端末３１からスケジュールプラン作成エンジン４１に送信する（ステップＳ２８）。そして、スケジュールプラン作成エンジン４１の情報最適合成機能４１２は、端末３１から修正要求を受け取ると、ユーザ３１ａの修正要求が反映されたスケジュールプランを再構築し、端末３１に送信する（ステップＳ２９）。そして、端末３１は、基本要求プランに沿って自分の好みが反映されたスケジュールプランをスケジュールプラン作成エンジン４１から受信する（ステップＳ３０）。
【００３２】
図６は、本発明の第３実施形態に係るスケジュールプラン生成装置が適用されるシステムの概略構成を示すブロック図である。
図６において、ブログまたはＳＮＳを含むウェブサービスを提供するポータルサイト５、基本要求プランに基づいて個人の興味が反映されたスケジュールプランを生成するスケジュールプラン作成エンジン６１および端末３３、３４が通信網１を介して接続されている。また、ポータルサイト５には、個人の興味情報が概念階層化された興味オントロジが格納された興味オントロジデータベース５２が接続されている。ここで、スケジュールプラン作成エンジン６１には、基本要求プランを取得したり、興味オントロジを検索したりする情報取得機能６１１および基本要求プランに基づいて個人の興味が反映されたスケジュールプランを合成する情報最適合成機能６１２が設けられている。
【００３３】
そして、端末３３、３４がポータルサイト５にて提供されるブログを利用すると、ポータルサイト５は、その利用者の提供する情報に関する興味オントロジのクラスやインスタンスのデータを興味オントロジデータベース５２に格納することができる。そして、端末３３がスケジュール構築画面上で基本要求プランを選択または記入し、スケジュールプラン作成エンジン６１に転送すると、スケジュールプラン作成エンジン６１は、ポータルサイト５にアクセスし、ポータルサイト５にて提供されるウェブサービスを利用しながら基本要求プランに関する情報を調査したり、興味オントロジデータベース５２を検索し、興味オントロジ間の近似度に基づいて興味オントロジ間のマッピングを行うことができる。そして、スケジュールプラン作成エンジン６１は、近似度の高い興味オントロジを保有する他の端末３４を選択し、スケジュールプランに使用する店名や商品名を興味オントロジのマッピングデータから取り込み、その店名や商品名やウェブサービスから得られた情報が組み込まれたスケジュールプランをユーザ３３ａに提案することができる。
【００３４】
図７は、本発明の第３実施形態に係るスケジュールプランの作成方法の具体例を示す流れ図である。
図７において、ユーザ３３ａは、「ＣＤ屋ＡでＣＤを買って、それから１９時に新宿駅で友達と待ち合わせをして、それからその辺の美味しい店で晩飯を食べたい。」と思っているとする。この場合、ユーザ３３ａは、端末３３上でスケジュール構築画面を表示させる。ここで、スケジュール構築画面には、時刻、場所およびサービスを順次入力するためのテンプレートＴ２が用意される。そして、継続ボタンＢ１を操作して新たな入力欄を順次表示させながら、（自分の位置）、（ＣＤ店）、（待ち合わせ）および（食事）に関する時刻、場所またはサービスなどの基本要求プランを順次入力することができる（Ｋ１１）。例えば、ユーザ３３ａは、（自分の位置）に関する基本要求プランとして（三鷹駅）、（ＣＤ店）に関する基本要求プランとして（ＣＤ屋Ａ：３０分）、（待ち合わせ）に関する基本要求プランとして（１９：００：新宿駅）、（食事）に関する基本要求プランとして（食事）とテンプレートＴ２上で順次入力することができる。そして、基本要求プランの入力が完了し、ユーザ３３ａが完了ボタンＢ２を操作すると、それらの基本要求プランとしてスケジュールプラン作成エンジン６１に送信される。
【００３５】
そして、スケジュールプラン作成エンジン６１の情報取得機能６１１は、基本要求プランを端末３３から受信すると、スケジュールプラン作成エンジン６１の情報取得機能６１１がポータルサイト５にアクセスし、ポータルサイト５にて提供されるウェブサービスを利用しながらＣＤ屋Ａの営業時間を調査するとともに、三鷹駅と新宿駅の時刻表を調査する（Ｋ１２）。さらに、スケジュールプラン作成エンジン６１の情報取得機能６１１は、興味オントロジデータベース５２にアクセスし、オントロジマッピングを適用することにより基本要求プランの内容の興味が近い他の端末３４を抽出する。そして、端末３４の興味オントロジから「新宿駅周辺の夕食の店として懐石料理屋Ｅ」を抽出し、さらに、「懐石料理屋Ｅ」をキーワードとしてポータルサイト５のウェブサービスにアクセスすることにより、（懐石料理屋Ｅの地図、電話番号、営業時間、メニューなど）の情報を取得する（Ｋ１２）。そして、スケジュールプラン作成エンジン６１の情報最適合成機能６１２は、ウェブサービスから得られた情報（三鷹駅から新宿駅までの乗り換え時刻）を時系列的に組み合わせながら、興味オントロジに基づいて抽出された（懐石料理屋Ｅ）に関する情報（懐石料理屋Ｅの地図、電話番号、営業時間、メニューなど）が組み込まれた１次スケジュールプランＰ１１を生成し、端末３３に送信する。
【００３６】
すなわち、スケジュールプラン作成エンジン６１の情報取得機能６１１は、「ＣＤ屋Ａ」をポータルサイト５のウェブサービスを使用して検索することにより、（最寄り駅→吉祥寺駅）、（移動手段→徒歩）、（移動時間→２０分）、（定休日→木曜日：営業時間→１０：００−２０：００）というデータを得ることができる。そして、以上のデータから、スケジュールプラン作成エンジン６１の情報最適合成機能６１２は、（三鷹駅→吉祥寺駅→徒歩２０分→ＣＤ屋Ａ３０分→吉祥寺駅→新宿駅１９時着）までのスケジュールプランを確定する。
【００３７】
次に、スケジュールプラン作成エンジン６１の情報最適合成機能６１２は、（１９時）、（新宿駅）および（食事）という条件から、ユーザ３３ａに推奨する店に関する情報を、以下の（１）から（３）の処理を繰り返しながら収集する。
（１）興味オントロジデータベース５２を参照しながらオントロジマッピングを適用することによりユーザ３３ａの興味に合った店を選択する。
（２）選択した店が（営業日、営業時間、場所）などの条件に合うかどうか調べる。そして、条件に合うならば以下の（３）の処理に進み、条件に合わないならば（１）の処理に戻る。
（３）ユーザ３３ａの興味に合った店を何件か準備する。
【００３８】
そして、ユーザ３３ａの興味に合った店として（懐石料理屋Ｅ）が選択されると、スケジュールプラン作成エンジン６１の情報取得機能６１１は、「懐石料理屋Ｅ」をキーワードとしてポータルサイト５のウェブサービスにアクセスすることにより、（最寄り駅→新宿駅）、（移動手段→徒歩）、（移動時間→５分）、（水曜日は営業日：営業時間→１７：００−２２：００）というデータを得ることができ、１次スケジュールプランＰ１を確定させることができる。
そして、１次スケジュールプランが端末３３に送信された後に、１次スケジュールプランの修正要求が端末３３からスケジュールプラン作成エンジン４１に送られると、スケジュールプラン作成エンジン６１の情報最適合成機能６１２は、ユーザ３３ａの修正要求が反映された２次スケジュールプランを再構築し、端末３３に送信する。
【００３９】
図８は、本発明の第３実施形態に係るスケジュールプランの作成方法を示すフローチャートである。
図８において、ポータルサイト５は、ブログのウェブサービスを通信網１を介して提供する（ステップＳ４１）。また、端末３３は、ポータルサイト５が提供するブログのウェブサービスを利用する（ステップＳ４２）。そして、端末３３は、ウェブサービスの利用時の使用した興味オントロジのクラスやインスタンスのデータをポータルサイト５に転送する。そして、ポータルサイト５は、興味オントロジのクラスやインスタンスのデータを端末３３から受け取ると、それらのデータを興味オントロジデータベース５２に格納する（ステップＳ４３）。
【００４０】
一方、端末３４は、ポータルサイト５が提供するブログのウェブサービスを利用する（ステップＳ４４）。そして、端末３４は、ウェブサービスの利用時の使用した興味オントロジのクラスやインスタンスのデータをポータルサイト５に転送する。そして、ポータルサイト５は、興味オントロジのクラスやインスタンスのデータを端末３４から受け取ると、それらのデータを興味オントロジデータベース５２に格納する（ステップＳ４５）。
【００４１】
そして、端末３３がスケジュール構築画面上でテンプレートに基本要求プランを選択または記入し（ステップＳ４６）、スケジュールプラン作成エンジン６１に転送する（ステップＳ４７）。例えば、（自分の位置）、（ＣＤ店）、（待ち合わせ）および（食事）に関する基本要求プランとしてそれぞれ、（三鷹駅）、（ＣＤ屋Ａ：３０分）、（１９：００：新宿駅）、（食事）を選択または記入することができる。そして、スケジュールプラン作成エンジン６１は、基本要求プランを端末３３から受け取ると、情報取得機能６１１は、ポータルサイト５にアクセスし、ポータルサイト５にて提供されるウェブサービスを利用しながら「ＣＤ屋Ａ」を調査するとともに（ステップＳ４８）、（三鷹駅）や（新宿駅）などの電車時刻表を調査する。そして、「ＣＤ屋Ａ」をポータルサイト５のウェブサービスを使用して検索した結果、（最寄り駅→吉祥寺駅）、（移動手段→徒歩）、（移動時間→２０分）、（定休日→木曜日：営業時間→１０：００−２０：００）というデータが得られると、情報最適合成機能６１２は、電車時刻表の調査結果を参照しながら、（三鷹駅から電車で吉祥寺駅→吉祥寺駅から徒歩２０分でＣＤ屋Ａ→ＣＤ屋Ａで３０分間のショッピング→ＣＤ屋Ａから徒歩２０分で吉祥寺駅→吉祥寺駅ら電車で新宿駅→新宿駅に１９時着）までのスケジュールプランを確定する。
【００４２】
また、情報取得機能６１１は、興味オントロジデータベース５２を検索し、興味オントロジ間の近似度に基づいて興味オントロジ間のマッピングを行うことにより、近似度の高い興味オントロジを保有する他の端末３４を選択する。そして、情報取得機能６１１は、選択された端末３４が保有する興味オントロジのマッピングデータから、ユーザ３３ａの興味に合った店を選択する（ステップＳ５０）。
【００４３】
そして、ユーザ３３ａの興味に合った店として（懐石料理屋Ｅ）が選択されると、情報最適合成機能６１２は、（懐石料理屋Ｅ）が（１９時）、（新宿駅）および（食事）という条件に合うかどうかを判断し（ステップＳ５１）、その条件に合わないならばステップＳ５０に戻る。一方、（懐石料理屋Ｅ）が条件に合うならば、これまでにＮ（Ｎは正の整数）件以上の条件に合う店が選択されているかどうかを判断し（ステップＳ５２）、選択されている店の数がＮ件未満ならば、ステップＳ５０に戻る。一方、（懐石料理屋Ｅ）を含めてＮ件以上の条件に合う店が選択されているならば、情報取得機能６１１は、「懐石料理屋Ｅ」をキーワードとしてポータルサイト５のウェブサービスにアクセスすることにより、（最寄り駅→新宿駅）、（移動手段→徒歩）、（移動時間→５分）、（水曜日は営業日：営業時間→１７：００−２２：００）というデータを得ることができる（ステップＳ５３）。そして、以上の処理により、すべてのスケジュールプランが確定すると、そのスケジュールプランを端末３３に転送する（ステップＳ５４）。そして、端末３３は、基本要求プランに沿って自分の好みが反映されたスケジュールプランをスケジュールプラン作成エンジン６１から受信する（ステップＳ５５）。
【００４４】
図９は、本発明の第４実施形態に係るスケジュールプランの作成方法の具体例を示す流れ図である。
図９において、ポータルサイト５は、ウェブサービスとして（１）店舗情報：ファッション、（２）店舗情報：音楽、（３）店舗情報：グルメ、（４）時刻表、（６）位置情報、（７）地図、（８）予定表、（９）アラーム、（１０）イメージ検索、（１１）英和翻訳、（１２）ブログの諸要素を持っているものとする。ここで、ポータルサイト５は、ウェブサービスとして（３）店舗情報：グルメ、（４）時刻表、（６）位置情報、（７）地図などを持つため、（自分の位置）、（ＣＤ店）、（待ち合わせ）および（食事）に関する基本要求プランとしてそれぞれ、（三鷹駅）、（ＣＤ屋Ａ：３０分）、（１９：００：新宿駅）、（食事）という情報が得られると、情報取得機能６１１がポータルサイト５にアクセスし、ポータルサイト５にて提供されるウェブサービスを利用することにより、（三鷹駅から電車で吉祥寺駅→吉祥寺駅から徒歩２０分でＣＤ屋Ａ→ＣＤ屋Ａで３０分間のショッピング→ＣＤ屋Ａから徒歩２０分で吉祥寺駅→吉祥寺駅ら電車で新宿駅→新宿駅に１９時着）までのスケジュールプランを確定することができる。
【００４５】
また、ブログにはユーザ３３ａの興味オントロジデータベース５２が設けられているため、スケジュールプラン作成エンジン６１の情報取得機能６１１は、興味オントロジデータベース５２を検索し、興味オントロジ間の近似度に基づいて興味オントロジ間のマッピングを行うことにより、端末３３と近似度の高い興味オントロジを保有する他の端末３４を選択し、ユーザ３３ａの興味に合った店として（懐石料理屋Ｅ）を抽出することができる。
【００４６】
例えば、端末３３、３４には、ユーザ３３ａ、３４ａの興味がそれぞれ概念階層化された興味オントロジとして、例えば、“グルメ”に関する興味オントロジと“音楽”に関する興味オントロジがそれぞれ構築されているものとする。
ここで、端末３３の興味オントロジの“グルメ”というクラスの直下には、“京都料理”というクラスが存在し、“京都料理”というクラスの直下には、“懐石料理”および“豆腐”というクラスが存在し、“懐石料理”というクラスの直下には、“店Ｃ”というインスタンスが存在し、“豆腐”というクラスの直下には、“店Ｄ”というインスタンスが存在しているものとする。
【００４７】
また、端末３３の興味オントロジの“音楽”というクラスの直下には、“ＵＳ”というクラスが存在し、“ＵＳ”というクラスの直下には、“Ｓｅａｔｔｌｅ”というクラスが存在し、“Ｓｅａｔｔｌｅ”というクラスの直下には、“ＳｕｂＰｏｐ”というクラスが存在し、“ＳｕｂＰｏｐ”というクラスの直下には、“Ｎｉｒｖａｎａ”というインスタンスが存在しているものとする。
【００４８】
一方、端末３４の興味オントロジの“グルメ”というクラスの直下には、“京都料理”というクラスが存在し、“京都料理”というクラスの直下には、“懐石料理”および“豆腐”というクラスが存在し、“懐石料理”というクラスの直下には、“店Ｅ”というインスタンスが存在し、“豆腐”というクラスの直下には、“店Ｄ”というインスタンスが存在しているものとする。
【００４９】
また、端末３４の興味オントロジの“音楽”というクラスの直下には、“ＵＳ”というクラスが存在し、“ＵＳ”というクラスの直下には、“Ｓｅａｔｔｌｅ”および“ＮＹＣ”というクラスが存在し、“Ｓｅａｔｔｌｅ”というクラスの直下には、“ＳｕｂＰｏｐ”というクラスが存在し、“ＳｕｂＰｏｐ”というクラスの直下には、“Ｎｉｒｖａｎａ”というインスタンスが存在し、“ＮＹＣ”というクラスの直下には、“ＨｏｍｅＳｔｅ”および“Ｓｈｉｎｎｙ”というクラスが存在し、“ＨｏｍｅＳｔｅ” というクラスの直下には、“Ｓｏｎｉｃ  Ｙｏｕｔｈ”というインスタンスが存在しているものとする。
【００５０】
そして、興味オントロジ間の近似度に基づいて興味オントロジ間のマッピングを行うことで、端末３３と近似度の高い興味オントロジを保有する他の端末３４を選択し、端末３４の保有する興味オントロジから、ユーザ３３ａの興味に合った店として（懐石料理屋Ｅ）を抽出することができる。
そして、ユーザ３３ａの興味に合った店として（懐石料理屋Ｅ）が抽出されると、懐石料理屋Ｅ」をキーワードとしてポータルサイト５のウェブサービスにアクセスすることにより、（最寄り駅→新宿駅）、（移動手段→徒歩）、（移動時間→５分）、（水曜日は営業日：営業時間→１７：００−２２：００）というデータを得ることができ、最終的なスケジュールプランを確定することができる。その後、端末３３あるいは携帯電話からスケジュールプラン作成エンジン６１にアクセスし、スケジュールプランをリアルタイムに変更することもできる。
【００５１】
図１０は、本発明の第５実施形態に係るスケジュールプラン生成装置が適用されるシステムの概略構成を示すブロック図である。
図１０において、ウェブサービスを提供するウェブサーバ２、基本要求プランに基づいて個人の興味が反映されたスケジュールプランを生成するスケジュールプラン作成エンジン４１、携帯電話３５および端末３１、３２が通信網１を介して接続されている。また、スケジュールプラン作成エンジン４１には、個人の興味情報が概念階層化された興味オントロジが格納された興味オントロジデータベース４２が接続されている。
【００５２】
そして、端末３１あるいは携帯電話３５は、ウェブサーバ２が提供する複数のウェブサービスの利用時の使用した興味オントロジのクラスやインスタンスのデータをスケジュールプラン作成エンジン４１に転送し、興味オントロジデータベース４２に格納させることができる。そして、端末３１あるいは携帯電話３５がスケジュール構築画面上で基本要求プランを選択または記入し、スケジュールプラン作成エンジン４１に転送すると、スケジュールプラン作成エンジン４１は興味オントロジデータベース４２を検索し、興味オントロジ間の近似度に基づいて興味オントロジ間のマッピングを行うことができる。そして、スケジュールプラン作成エンジン４１は、端末３１あるいは携帯電話３５に近似度の高い興味オントロジを保有する他の端末３２を選択し、スケジュールプランに使用する店名や商品名を興味オントロジのマッピングデータから取り込み、その店名や商品名が組み込まれたスケジュールプランをユーザ３１ａに提案することができる。また、ユーザ３１ａは、端末３１あるいは携帯電話３５からスケジュールプラン作成エンジン４１にアクセスし、スケジュールプランをリアルタイムに変更することもできる。
【００５３】
図１１は、本発明の第６実施形態に係るスケジュールプラン生成装置が適用されるシステムの概略構成を示すブロック図である。
図１１において、ブログまたはＳＮＳを含むウェブサービスを提供するポータルサイト５および端末３１、３２が通信網１を介して接続されている。また、ポータルサイト５には、基本要求プランに基づいて個人の興味が反映されたスケジュールプランを生成するスケジュールプラン作成エンジン６１および個人の興味情報が概念階層化された興味オントロジが格納された興味オントロジデータベース２２が接続されている。ここで、ポータルサイト５は、ウェブサービスとして（１）店舗情報：ファッション、（２）店舗情報：音楽、（３）店舗情報：グルメ、（４）時刻表、（６）位置情報、（７）地図、（８）予定表、（９）アラーム、（１０）イメージ検索、（１１）英和翻訳、（１２）ブログの諸要素を持つことができる。
【００５４】
そして、端末３１、３２がポータルサイト５にて提供されるブログを利用すると、ポータルサイト５は、その利用者の提供する情報に関する興味オントロジのクラスやインスタンスのデータを興味オントロジデータベース２２に格納することができる。そして、端末３１がスケジュール構築画面上で基本要求プランを選択または記入し、ポータルサイト５に転送すると、ポータルサイト５はスケジュールプラン作成エンジン２３０にアクセスする。そして、ケジュールプラン作成エンジン２３０は、ポータルサイト５にて提供されるウェブサービスを利用しながら基本要求プランに関する情報を調査したり、興味オントロジデータベース２２を検索し、興味オントロジ間の近似度に基づいて興味オントロジ間のマッピングを行うことができる。そして、スケジュールプラン作成エンジン２３０は、端末３１と近似度の高い興味オントロジを保有する他の端末３２を選択し、スケジュールプランに使用する店名や商品名を興味オントロジのマッピングデータから取り込み、その店名や商品名やウェブサービスから得られた情報が組み込まれたスケジュールプランを生成し、ポータルサイト５を介してユーザ３１ａに提案することができる。
【産業上の利用可能性】
【００５５】
本発明は、ウェブ上に存在する膨大の量の情報から個自分の興味が反映された情報を少ない手数で入手することができ、特に、ユビキタス社会における先導的情報産業技術として利用することができる。
【図面の簡単な説明】
【００５６】
【図１】本発明の第１実施形態に係るスケジュールプラン生成装置が適用されるシステムの概略構成を示すブロック図である。
【図２】図１のスケジュールプラン作成エンジン４１の概略構成を示すブロック図である。
【図３】本発明の第１実施形態に係るスケジュールプランの作成方法を示すフローチャートである。
【図４】本発明の第２実施形態に係るスケジュールプランの作成方法の具体例を示す流れ図である。
【図５】本発明の第２実施形態に係るスケジュールプランの作成方法を示すフローチャートである。
【図６】本発明の第３実施形態に係るスケジュールプラン生成装置が適用されるシステムの概略構成を示すブロック図である。
【図７】本発明の第３実施形態に係るスケジュールプランの作成方法の具体例を示す流れ図である。
【図８】本発明の第３実施形態に係るスケジュールプランの作成方法を示すフローチャートである。
【図９】本発明の第４実施形態に係るスケジュールプランの作成方法の具体例を示す流れ図である。
【図１０】本発明の第５実施形態に係るスケジュールプラン生成装置が適用されるシステムの概略構成を示すブロック図である。
【図１１】本発明の第６実施形態に係るスケジュールプラン生成装置が適用されるシステムの概略構成を示すブロック図である。
【符号の説明】
【００５７】
１  通信網
２  ウェブサーバ
５  ポータルサイト
３１、３２、３３、３４  端末
３１ａ、３２ａ、３３ａ、３４ａ  ユーザ
３５  携帯電話端末
４１、６１、２３０  スケジュールプラン作成エンジン
４２、５２  興味オントロジデータベース
４１１、６１１、２３１  情報取得機能
４１２、６１２、２３２  情報最適合成機能
４１３  認証機能
４１４  課金機能
４１５  ユーザ管理機能
４１６  セッション制御機能
４１８  利用履歴機能
４１０  通信サーバ機能
【図１】
2007164579.tif 000003
【図２】
2007164579.tif 000004
【図３】
2007164579.tif 000005
【図４】
2007164579.tif 000006
【図５】
2007164579.tif 000007
【図６】
2007164579.tif 000008
【図７】
2007164579.tif 000009
【図８】
2007164579.tif 000010
【図９】
2007164579.tif 000011
【図１０】
2007164579.tif 000012
【図１１】
2007164579.tif 000013